【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
動画像の各ピクチャを分割したブロック単位でマージ候補のインター予測情報によるインター予測を用いて前記動画像が符号化された符号化ビット列を復号する動画像復号装置であって、
予め指定されたマージ候補の数を示す情報を復号する予測情報復号部と、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出部と、
前記導出されたマージ候補からマージ候補リストを構築する候補リスト構築部と、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充部と、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充部と、
前記マージ候補から１つのマージ候補を選択するマージ候補選択部とを備え、
復号対象となる画像がＰピクチャである場合に、前記第２候補補充部で追加するマージ候補のインター予測モードはＬ０予測であり、復号対象となる画像がＢピクチャである場合に、前記第２候補補充部で追加するマージ候補のインター予測モードは双予測であることを特徴とする動画像復号装置。
【請求項２】
動画像の各ピクチャを分割したブロック単位でマージ候補のインター予測情報によるインター予測を用いて前記動画像が符号化された符号化ビット列を復号する動画像復号方法であって、
予め指定されたマージ候補の数を示す情報を復号する予測情報復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、
前記マージ候補から１つのマージ候補を選択するマージ候補選択ステップとを備え、
復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする動画像復号方法。
【請求項３】
動画像の各ピクチャを分割したブロック単位でマージ候補のインター予測情報によるインター予測を用いて前記動画像が符号化された符号化ビット列を復号する動画像復号プログラムであって、
予め指定されたマージ候補の数を示す情報を復号する予測情報復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、
前記マージ候補から１つのマージ候補を選択するマージ候補選択ステップとをコンピュータに実行させ、
復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする動画像復号プログラム。
【請求項４】
動画像が符号化された符号化ビット列を受信して復号する受信装置であって、
動画像の各ピクチャを分割したブロック単位でマージ候補のインター予測情報によるインター予測を用いて前記動画像が符号化された符号化ビット列がパケット化された符号化ストリームを受信する受信部と、
受信された前記符号化ストリームをパケット処理して元の符号化ビット列を復元する復元部と、
予め指定されたマージ候補の数を示す情報を復号する予測情報復号部と、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出部と、
前記導出されたマージ候補からマージ候補リストを構築する候補リスト構築部と、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充部と、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充部と、
前記マージ候補から１つのマージ候補を選択するマージ候補選択部とを備え、
復号対象となる画像がＰピクチャである場合に、前記第２候補補充部で追加するマージ候補のインター予測モードはＬ０予測であり、復号対象となる画像がＢピクチャである場合に、前記第２候補補充部で追加するマージ候補のインター予測モードは双予測であることを特徴とする受信装置。
【請求項５】
動画像が符号化された符号化ビット列を受信して復号する受信方法であって、
動画像の各ピクチャを分割したブロック単位でマージ候補のインター予測情報によるインター予測を用いて前記動画像が符号化された符号化ビット列がパケット化された符号化ストリームを受信する受信ステップと、
受信された前記符号化ストリームをパケット処理して元の符号化ビット列を復元する復元ステップと、
予め指定されたマージ候補の数を示す情報を復号する予測情報復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、
前記マージ候補から１つのマージ候補を選択するマージ候補選択ステップとを備え、
復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする受信方法。
【請求項６】
動画像が符号化された符号化ビット列を受信して復号する受信プログラムであって、
動画像の各ピクチャを分割したブロック単位でマージ候補のインター予測情報によるインター予測を用いて前記動画像が符号化された符号化ビット列がパケット化された符号化ストリームを受信する受信ステップと、
受信された前記符号化ストリームをパケット処理して元の符号化ビット列を復元する復元ステップと、
予め指定されたマージ候補の数を示す情報を復号する予測情報復号ステップと、
復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、
前記導出されたマージ候補からマージ候補リストを構築する候補リスト構築ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、
構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、
前記マージ候補から１つのマージ候補を選択するマージ候補選択ステップとをコンピュータに実行させ、
復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする受信プログラム。
【手続補正２】
【補正対象書類名】明細書
【補正対象項目名】００１５
【補正方法】変更
【補正の内容】
【００１５】
動画像の各ピクチャを分割したブロック単位でマージ候補のインター予測情報によるインター予測を用いて前記動画像が符号化された符号化ビット列を復号する動画像復号装置であって、予め指定されたマージ候補の数を示す情報を復号する予測情報復号部と、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出部と、前記導出されたマージ候補からマージ候補リストを構築する候補リスト構築部と、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充部と、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充部と、前記マージ候補から１つのマージ候補を選択するマージ候補選択部とを備え、復号対象となる画像がＰピクチャである場合に、前記第２候補補充部で追加するマージ候補のインター予測モードはＬ０予測であり、復号対象となる画像がＢピクチャである場合に、前記第２候補補充部で追加するマージ候補のインター予測モードは双予測であることを特徴とする動画像復号装置を提供する。
動画像の各ピクチャを分割したブロック単位でマージ候補のインター予測情報によるインター予測を用いて前記動画像が符号化された符号化ビット列を復号する動画像復号方法であって、予め指定されたマージ候補の数を示す情報を復号する予測情報復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、前記導出されたマージ候補からマージ候補リストを構築する候補リスト構築ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、前記マージ候補から１つのマージ候補を選択するマージ候補選択ステップとを備え、復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする動画像復号方法を提供する。
動画像の各ピクチャを分割したブロック単位でマージ候補のインター予測情報によるインター予測を用いて前記動画像が符号化された符号化ビット列を復号する動画像復号プログラムであって、予め指定されたマージ候補の数を示す情報を復号する予測情報復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、前記導出されたマージ候補からマージ候補リストを構築する候補リスト構築ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、前記マージ候補から１つのマージ候補を選択するマージ候補選択ステップとをコンピュータに実行させ、復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする動画像復号プログラムを提供する。
動画像が符号化された符号化ビット列を受信して復号する受信装置であって、動画像の各ピクチャを分割したブロック単位でマージ候補のインター予測情報によるインター予測を用いて前記動画像が符号化された符号化ビット列がパケット化された符号化ストリームを受信する受信部と、受信された前記符号化ストリームをパケット処理して元の符号化ビット列を復元する復元部と、予め指定されたマージ候補の数を示す情報を復号する予測情報復号部と、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出部と、前記導出されたマージ候補からマージ候補リストを構築する候補リスト構築部と、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充部と、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充部と、前記マージ候補から１つのマージ候補を選択するマージ候補選択部とを備え、復号対象となる画像がＰピクチャである場合に、前記第２候補補充部で追加するマージ候補のインター予測モードはＬ０予測であり、復号対象となる画像がＢピクチャである場合に、前記第２候補補充部で追加するマージ候補のインター予測モードは双予測であることを特徴とする受信装置を提供する。
動画像が符号化された符号化ビット列を受信して復号する受信方法であって、動画像の各ピクチャを分割したブロック単位でマージ候補のインター予測情報によるインター予測を用いて前記動画像が符号化された符号化ビット列がパケット化された符号化ストリームを受信する受信ステップと、受信された前記符号化ストリームをパケット処理して元の符号化ビット列を復元する復元ステップと、予め指定されたマージ候補の数を示す情報を復号する予測情報復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、前記導出されたマージ候補からマージ候補リストを構築する候補リスト構築ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、前記マージ候補から１つのマージ候補を選択するマージ候補選択ステップとを備え、復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする受信方法を提供する。
動画像が符号化された符号化ビット列を受信して復号する受信プログラムであって、動画像の各ピクチャを分割したブロック単位でマージ候補のインター予測情報によるインター予測を用いて前記動画像が符号化された符号化ビット列がパケット化された符号化ストリームを受信する受信ステップと、受信された前記符号化ストリームをパケット処理して元の符号化ビット列を復元する復元ステップと、予め指定されたマージ候補の数を示す情報を復号する予測情報復号ステップと、復号対象の予測ブロックに隣接する予測ブロック、または復号対象の予測ブロックと時間的に異なる復号済みのピクチャにおける前記復号対象の予測ブロックと同一位置又はその付近に存在する予測ブロックのインター予測情報から、前記マージ候補を導出する予測情報導出ステップと、前記導出されたマージ候補からマージ候補リストを構築する候補リスト構築ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり動きベクトルが同じ値であるマージ候補を、参照インデックスを変化させながら前記マージ候補リストに順次追加する第１候補補充ステップと、構築された前記マージ候補リストに含まれるマージ候補の数が前記予め指定されたマージ候補の数未満であった場合、前記マージ候補リストに含まれるマージ候補の数が前記予め指定されたマージ候補の数に達するまで、繰り返して、予測モードが同じ値であり参照インデックスが同じ値であり動きベクトルが同じ値であるマージ候補を前記マージ候補リストに追加する第２候補補充ステップと、前記マージ候補から１つのマージ候補を選択するマージ候補選択ステップとをコンピュータに実行させ、復号対象となる画像がＰピクチャである場合に、前記第２候補補充ステップで追加するマージ候補のインター予測モードはＬ０予測であり、復号対象となる画像がＢピクチャである場合に、前記第２候補補充ステップで追加するマージ候補のインター予測モードは双予測であることを特徴とする受信プログラムを提供する。